(57)【特許請求の範囲】
【請求項１】
殻付き落花生の外周の窪み部付近に細長の柄を取り付け、全体形状を略Ｔ字状の小槌形状にしたことを特徴とする柄付き落花生。
【請求項２】
落花生の外周におみくじ、占い文等の付属品を添え、その付属品の外から細長の柄を取り付け、全体形状を略Ｔ字状の小槌形状にしたことを特徴とする柄付き落花生。
【請求項３】
細長の柄の上端部側に設けた孔に殻付き落花生を横向きに差し込み、全体形状を略Ｔ字状の小槌形状にしたことを特徴とする柄付き落花生。
【請求項４】
細長の柄の上端部側に横長筒を横向きに設け、その筒内に殻付き落花生を横向きに差し込み、全体形状を略Ｔ字状の小槌形状にしたことを特徴とする柄付き落花生。
【請求項５】
請求項１乃至請求項４のいずれか１項に記載の柄付き落花生において、柄の下部に付属品を取付けたことを特徴とする柄付き落花生。
【請求項６】
請求項３乃至請求項５のいずれか１項に記載の柄付き落花生において、柄がその内部に収容部を備えた中空状であり、その収容部内に付属品を収容したことを特徴とする柄付き落花生。
【請求項７】
請求項６記載の柄付き落花生において、柄を小室に区画し又は小室を連結して柄とし、それら小室内に付属品を収容し、それら小室を個別に分離又は開閉可能であることを特徴とする柄付き落花生。
【発明の詳細な説明】
【技術分野】
【０００１】
本発明は殻付き落花生（以下単に「落花生」という。）に柄を取付けて、小槌のような形状（小槌形状）にした柄付き落花生に関する。
【背景技術】
【０００２】
我が国では、節分に一年の無病息災の願いを込めて豆撒きをする風習がある。豆撒きは各家庭で行われる他、神社、仏閣に人を集めて地域行事として行われることもある。豆撒きで使用される豆は大豆が一般的であるが、撒くと汚れて食し難くなるとか、拾い難いといった難点があった。近年は数粒の大豆を一つの小袋に入れたもの（特許文献１）が提案されている。
【０００３】
地域によっては、大豆の代わりに、落花生が使用されることがある。落花生は撒いて汚れても殻を剥いて食べることができる上、大豆に比べて拾い易いという利点があるため、近年は落花生で豆撒きを行う地域も増えつつある。
【先行技術文献】
【特許文献】
【０００４】
【特許文献１】特開平１０−２７６８９５号公報
【発明の概要】
【発明が解決しようとする課題】
【０００５】
豆撒きは、年中行事として定着しているものの、古くより、撒くものが大豆に決まっているため、変化に乏しく、豆撒き行事が盛り上がりに欠ける感がある。本発明者は我が国の大切な伝統行事である豆撒きに物足りなさを感じることもあった。
【０００６】
本発明は、前記実情のもとに開発されたものであり、豆撒きのみならず、祝儀の場、運動会、レクリエーション、イベント等の各種行事に使用でき、豆撒きの撒き物として使用すれば、今までとは違った豆撒きを楽しむことができ、豆撒き行事に賑わいを取り戻す契機にもなり得る柄付き落花生を提供することにある。
【課題を解決するための手段】
【０００７】
本発明の柄付き落花生は、落花生の外側に（外周の窪み付近に）細長の柄を取付け、全体形状を略Ｔ字形の小槌形状にしたものである。落花生は生のもの、乾燥したもの、炒ったもの、茹でたもの、その他の加工をしたもの等のいずれであってもよい。サイズ、産地等も問わない。
【０００８】
前記柄付き落花生は、細長の柄の上端部側に横向きに孔をあけ、孔内に横向きに落花生を入れた（差し込んだ）ものである。この場合、落花生の両端部を孔の両端より外側に突出させてある。
【０００９】
前記柄付き落花生は、細長の柄の上端部側に横長筒を横向きに設けて全体形状を略Ｔ字形の小槌形状とし、その筒内に落花生を入れたものである。この場合、落花生の両端部を筒の両端よりも外側に突出させることも、筒から突出しないようにすることもできる。
【００１０】
前記柄には、小袋入りの福豆、米、小豆、大豆、お菓子、装飾品、御守り、おみくじ、占い文等の小さな品物（付属品）を取り付けることも、柄そのものを容器にして、その内部に前記のような付属品を収容することもできる。付属品が御守り、おみくじ、占い文等のように薄い紙の場合は、それを柄と落花生の間に配置しておくこともできる。
【００１１】
前記柄は、その長手方向に二以上の容器を脱着可能又は分離可能又は開閉可能に設け、各々の容器内に付属品を収容しておくこともできる。この場合、それら容器には同じ付属品又は異なる付属品を入れることができる。
【００１２】
前記柄を小室に区画し又は小室を連結して柄とし、それら小室内に付属品を収容し、それら小室を個別に分離又は開閉可能とすることもできる。
【発明の効果】
【００１３】
本発明の柄付き落花生は次の効果がある。
（１）落花生に柄を付けて小槌形状にしたので、真新しい外見の落花生となり、豆撒きに使用すれば、大豆を撒いていた従前の豆撒きとは違ったイメージの豆撒きになり、人々の興味、関心をひきやすく、豆撒き行事の盛り上がりが期待できる。
（２）小槌には縁起物としてのイメージがあるため祝儀の場での使用に適する。
（３）柄に、御守り、おみくじ、占い、福豆などを入れた容器を取付けておけば、容器内に何が入っているかの期待感があり、商品に対する購入意欲を増進させることができる。
（４）柄の二以上の容器を分離可能又は容器ごとに開閉可能とし、容器内に収容する付属品を異なるものにすれば、容器ごとに開封する楽しみがある。
【図面の簡単な説明】
【００１４】
【図１】本発明の柄付き落花生の一例を示すものであって、（ａ）は落花生の外側に柄を取付けて全体形状を略Ｔ字形の小槌形状にした場合の正面図、（ｂ）は（ａ）の側面図、（ｃ）は（ａ）の落花生の外周に書面を巻き付けた場合の正面図、（ｄ）は（ｃ）の側面図。
【図２】本発明の柄付き落花生の他例を示すものであって、（ａ）は細長円筒状の柄の上端部側に孔を貫通し、その孔内に落花生を差し込んで小槌形状にした場合の正面図、（ｂ）は（ａ）のＡ−Ａ断面図、（ｃ）は（ａ）の柄の下端側に付属品が収容された小袋を取付けた場合の正面図、（ｄ）は（ａ）の柄の下端側に御守りを取付けた場合の正面図、（ｅ）は（ａ）の柄の下端側に房を取付けた場合の正面図。
【図３】本発明の柄付き落花生の他例を示すものであって、（ａ）は柄を複数の小室に分けた場合の正面図、（ｂ）〜（ｄ）は（ａ）の柄を小室ごとに分離する場合の正面図、（ｅ）は各小室に開閉式の扉を設けた場合の説明図。
【図４】本発明の柄付き落花生の他例を示すものであって、（ａ）は柄の先端部側に横長の筒を設け、その筒内に落花生を入れた場合の正面図、（ｂ）は（ａ）の柄を小室に分けた場合の正面図。
【図５】本発明の柄付き落花生の他例を示すものであって、（ａ）は図４（ａ）の筒を落花生よりも大きくし、その両端に筒蓋を設けた場合の正面図、（ｂ）は（ａ）の柄を小室に分けた場合の正面図。
【図６】（ａ）は筒蓋の一例を示す正面図、（ｂ）は（ａ）の筒蓋を筒に開閉自在に取り付けた場合の斜視説明図。
【図７】柄の製造方法の一例を示すもので、（ａ）は円弧状部と下端部を備えた二つの柄部材を対向させて両者の上端部同士を熱溶着させた状態を示す縦断面図、（ｂ）は（ａ）の円弧状部同士及び下端部同士を熱溶着させた状態を示す縦断面図。
【発明を実施するための形態】
【００１５】
（実施形態１）
本発明の柄付き落花生の一例を図１（ａ）（ｂ）に基づいて説明する。これら図に示す柄付き落花生１は、落花生２の長手方向略中央部（窪み部分）に柄３を取付けて全体形状をＴ字状（略Ｔ字状を含む。以下同じ。）の小槌形状にしたものである。図１（ａ）に示す柄３は、金属線４を樹脂５で被覆した扁平テープ状の樹脂被覆線であり、それを落花生２の外周に撒いて捩じって落花生２に取付けてある。金属線４の太さや樹脂５の幅等は特に問わない。金属線４を樹脂５で被覆せずに裸で使用することもできる。柄３は落花生２に取り付けやすいものであって、不用意に折れ曲がったりしない材質のものが好ましく、樹脂被覆線以外であってもよい。柄３は手作業で捩じって取付けることもできるが、機械で捩じって取付けることもできる。落花生２のサイズ、産地等は問わない、落花生２の殻には「祝」「寿」といった文字や、任意の図柄等を表示しておくこともできる。柄３の下端には図２（ｃ）〜（ｅ）のような付属品７を取付けることもできる。
【００１６】
（実施形態２）
本発明の柄付き落花生１の一例として図1（ｃ）（ｄ）に示すものは、落花生２の外周におみくじ、占い文等の書面を巻き付け、その外から樹脂被覆線を巻いて捩じって柄３を取付けたものである。書面は樹脂製の小袋に入れておくと水に濡れにくくなる。
【００１７】
（実施形態３）
本発明の柄付き落花生１の一例として図２（ａ）（ｂ）に示すものは、細長の円筒状の柄３の先端部側に横向きに孔６を貫通し、その孔６内に落花生を差し込んで小槌形状にしてある。この場合、孔６は落花生２を差し込み可能であり、差し込んだ後は、落花生２が抜け落ちない程度の径としてある。柄３の材質を伸縮性のあるものにし、孔６を落花生２の外径よりも小さ目の径にして、その孔６内に落花生２を圧入して落花生２が不用意に抜け落ちないようにすることもできる。孔６は落花生２を差し込み或いは圧入可能であれば円形に限らず三角形、多角形、星形等にすることもできる。孔６をこれら形状にすると、落花生２の外周がそれらの角で多点支持されて安定し、抜け落ちにくくなる。柄３の材質は特に限定されないが樹脂製が適する。柄３は縦長棒状でもよい。
【００１８】
本発明の柄付き落花生１の一例として図２（ｃ）に示すものは、図２（ａ）に示す柄付き落花生１の柄３の下端に、福豆、米、小豆、大豆、お菓子等の付属品７が収容された小袋８を取付けたものである。
【００１９】
図２（ｄ）に示すものは図２（ａ）に示す柄付き落花生１の柄３の下端に御守り（付属品７）を、図２（ｅ）に示すものは図２（ａ）に示す柄付き落花生１の柄３の下端に房（付属品７）を取付けたものである。付属品７にはおみくじ、占い文等を使用することもできる。おみくじは大吉、中吉、吉などが記載された既存のものでよく、御守りは無病息災、家内安全、心願成就、縁結びといった各種のものを用いることができる。占い文は星座占い、血液型占い、姓名の字画数占いといった各種占い文を用いることができる。付属品７は一つだけ連結することも、二以上連結することもできる。いずれの場合も付属品７の連結には紐、チェーン、リングといった既存の連結具９を用いることができる。付属品７は根付け、各種形状のストラップ等でもよい。
【００２０】
（実施形態４）
柄付き落花生１の一例として図３（ａ）に示すものは、基本的構成において図２（ａ）の柄付き落花生１と共通であり、異なるのは柄３を数個（図では三個）の小室１０に区画し、それら小室１０内に付属品７を収容したことである。小室１０は図３（ｂ）〜（ｄ）のように仕切り部分１１から切断、折り曲げ等により分離可能としてある。仕切り部分１１は分離を容易にするため窪ませるとか、分離線（例えば、ミシン目のような切取線等）を入れておくこともできる。夫々の小室１０には、図３（ｅ）のように開閉式の扉１２を設けて、扉１２を開けると内部の付属品７を取り出せるようにすることもできる。図示しないが、螺子式にして脱着可能とすることもできる。
【００２１】
図３（ａ）に示す柄付き落花生１の柄３の下端には、図２（ｃ）のように付属品７が収容された小袋８を取付けたり、図２（ｄ）のように御守りを取付けたり、図３（ｅ）に示すように房を取付けたり、その他の形状のストラップや根付けを取付けたりすることもできる。
【００２２】
（実施形態５）
本発明の柄付き落花生１の一例として図４（ａ）に示すものは、基本的構成において図２（ａ）に示す柄付き落花生１と共通であり、異なるのは円筒状の縦長の柄３の先端部側に、横向きの筒１３をＴ字形に設け、その筒１３内に落花生２を差し込んだことである。図示する例では、落花生２の長手方向両端部を筒１３の両端よりも外側まで突出させてある。柄３と筒１３の材質は特に限定されないが樹脂製が適する。両者はＴ字状に一体成型することも、柄３にそれとは別体に成形した筒１３を組み合わせてＴ字状にすることもできる。柄３は中実の縦長棒状でもよい。
【００２３】
図４（ａ）に示す柄３は図４（ｂ）に示すように二以上の小室１０に区画したり、二以上の小室１０を連結したりすることもできる。これら小室１０の構成は、図３（ａ）の小室と同様の構成とすることができる。図４（ａ）に示す柄３の下端にも図２（ｃ）〜（ｅ）に示すように付属品７を取付けることができる。
【００２４】
（実施形態６）
本発明の柄付き落花生１の一例として図５（ａ）に示すものは、基本的構成において図４（ａ）に示す柄付き落花生１と共通であり、異なるのは横向きの筒１３を横長にして、その筒１３内に落花生２の全長を差し込んだことである。
【００２５】
図５（ａ）の柄付き落花生１も、その柄３を図５（ｂ）のように二以上の小室１０に区画したり、二以上の小室１０を連結したりすることもできる。これら小室１０の構成も図３（ａ）の小室１０と同様の構成とすることができる。図５（ａ）に示す柄３の下端にも図２（ｃ）〜（ｅ）に示すように付属品７を取付けることができる。
【００２６】
図５（ａ）の柄付き落花生１の場合、筒１３の両側面に図６（ａ）に示すような蓋（筒蓋１４）を開閉可能に取付け、この筒蓋１４を開けて筒１３の軸方向一端を開口することによって、筒１３内に収容した落花生２を出し入れできるようにすることもできる。筒蓋１４は図６（ｂ）のようにヒンジで開閉可能としたり、既存の他の手段で開閉可能としたりすることができる。筒蓋１４の形状や材質は特に制約されないが、網製、プラスチック製であって、これらを組み合わせたものであってもよい。筒蓋１４の一例として図６（ａ）（ｂ）に示すものは網材（メッシュの粗さは任意とする）と、樹脂を交互に組み合わせたものである。筒蓋１４は網材と穴とを交互に組み合わせたものでもよい。
【００２７】
前記実施形態３〜６では、柄３に落花生２を手作業で差し込む場合を一例として説明しているが、落花生２の差し込みは機械で行うこともできる。また、孔６や筒１３内に差し込むのではなく、予め、図７（ａ）に示すように二枚の柄部材３ａ、３ｂを開閉可能に成型しておき、その柄部材３ａ、３ｂの円弧状部で落花生２の外周の窪み部を図７（ｂ）のように外側から挟み、柄部材３ａ、３ｂの下端部同士を図７（ｂ）のように連結（例えば、熱溶着、接着等）して落花生２の外周に機械で取付けることもできる。機械での取付けは、この方法以外であってもよいが、いずれの場合も、両柄部材３ａ、３ｂの下端部に収容空間ができるようにするのが好ましい。
【産業上の利用可能性】
【００２８】
本発明の柄付き落花生１は、豆撒き用の豆として使用できる他、神社、仏閣の御守り売り場や占い所などに展示して販売することもできる。この場合、柄付き落花生１を袋、箱、容器等に多数個収容して販売することも、所望数ずつ販売することもできる。贈答用の箱内に他の贈答品と一緒に入れることもできる。例えば、日本酒、ビール等のアルコール類（贈答品）と同じ箱に収容して、つまみ入り贈答品とすることもできる。本発明の柄付き落花生１は縁起物である小槌形状をしているため、結婚祝いや出産祝いなど縁起の良い祝儀の場で使用するのに適する。
【符号の説明】
【００２９】
１    柄付き落花生
２    落花生
３    柄
３ａ、３ｂ  柄部材
４    線材
５    被覆樹脂
６    孔
７    付属品
８    小袋
９    連結具
１０  小室
１１  仕切り部分
１２  扉
１３  筒
１４  筒蓋
【図１】
0005430713.tif 000002
【図２】
0005430713.tif 000003
【図３】
0005430713.tif 000004
【図４】
0005430713.tif 000005
【図５】
0005430713.tif 000006
【図６】
0005430713.tif 000007
【図７】
0005430713.tif 000008